(57)【要約】  【課題】  蛍光灯用の高周波点灯回路基板を内蔵して薄型化した場合のユニットの強度向上や内部絶縁性能を向上する。  【解決手段】  上面に導電性の一対の引掛刃１、１を設けた上ケース２と、この上ケース２と結合される下ケース３と、上ケース２と下ケース３により囲まれた空間に収納され、前記引掛刃１、１から電気接続された蛍光灯用の高周波点灯回路基板(以下、単に点灯回路基板と称する)４とを備え、前記上ケース２は、上面に露出される第一絶縁板５と、第一絶縁板５の下面に配置される第二絶縁板６と、第一絶縁板５と第二絶縁板６の間に挟まれた金属板７とを有し、前記点灯回路基板４は第二絶縁板６の下面に配置されたユニット化されている蛍光灯用点灯装置である。【選択図】  図２
2005209449.tif 000002
【特許請求の範囲】
【請求項１】
上面に一対の引掛刃を設けた上ケースと、この上ケースと結合される下ケースと、上ケースと下ケースにより囲まれた空間に収納され、前記引掛刃から電気接続された蛍光灯用の高周波点灯回路基板とを備え、前記上ケースは、上面に露出される第一絶縁板と、第一絶縁板の下面に配置される第二絶縁板と、第一絶縁板と第二絶縁板の間に挟まれた金属板とを有し、前記点灯回路基板は第二樹脂板の下面に配置された蛍光灯用点灯装置。
【請求項２】
請求項１において、第一絶縁板の下面に形成した複数のボスを金属板の上面に形成した複数の凹部に各々位置決めした蛍光灯用点灯装置。
【請求項３】
請求項２において、凹部の下面である突出部を第二絶縁板の上面に形成した複数の第二凹部に各々位置決めした蛍光灯用点灯装置。
【請求項４】
請求項３において、第二凹部の下面である第二突出部を点灯回路基板の複数の孔に各々位置決めした蛍光灯用点灯装置。
【請求項５】
請求項１において、引掛刃に電気接続したコードを金属板の上面に沿わせて点灯回路基板の外周縁からこの点灯回路基板に接続した蛍光灯用点灯装置。
【請求項６】
請求項１において、第二絶縁板に形成した窓孔に金属板の下面に形成した凸部を挿入し、点灯回路基板に実装した発熱部品の発熱を電気絶縁性の導熱クッション部材を介して前記凸部に伝導放熱した蛍光灯用点灯装置。
【請求項７】
請求項１において、第一絶縁板の外側面から通したビスを下ケースの側面を通して第二絶縁板に螺合固定した蛍光灯用点灯装置。
【請求項８】
請求項７において、ビスは第一絶縁板の外周に形成した溝の底面に通された蛍光灯用点灯装置。
【請求項９】
請求項１〜８のいずれかに記載した蛍光灯用点灯装置がその引掛刃により天井面に設置された引掛ローゼットに接続固定され、前記蛍光灯用点灯装置の外周縁には蛍光灯を接続した蛍光灯ソケットを備えた照明器具本体が着脱可能に係止され、前記蛍光灯ソケットには前記蛍光灯用点灯装置の点灯出力がリード線を介して接続された照明器具。
【発明の詳細な説明】
【技術分野】
【０００１】
本発明は、ユニット化された蛍光灯用高周波点灯装置及びこれを用いる照明器具に関する。
【背景技術】
【０００２】
ユニット化された蛍光灯用点灯装置及びこれを用いた照明器具は特許文献１などで周知であり、特許文献１では、上面にねじ込みタイプの接続器を設けたケースの内部に収納され、前記接続器から電気接続された蛍光灯用の巻線型安定器を備え、この安定器の出力で蛍光灯が点灯制御されるように構成されている。また、ユニット化されたリモコン受信器は特許文献２などで周知であり、特許文献２によれば、上面に一対の引掛刃を設けた上ケースと、この上ケースと結合される下ケースと、下ケースに内蔵され前記引掛刃から電気接続されたリモコン受信部を設けたリモコン受信ユニットを備え、このユニットにより制御される照明灯を備えた照明器具が開示されている。
【特許文献１】特公昭５６−３７６４２号公報
【特許文献２】特開２０００−３２２９２８号公報
【発明の開示】
【発明が解決しようとする課題】
【０００３】
しかし、いずれのユニットも蛍光灯用の高周波点灯回路基板を備えたものではないため、その回路構成が比較的単純で実装部品数が少ない。一方、多数の実装部品を要する高周波点灯回路基板を使用すると全体の外径をやや大型化さぜるを得ないため、ユニットをできるだけ薄型化する必要に迫られるが、公知の技術では、薄型化に伴なうユニットの強度低下防止や内部絶縁性能に無関心である。本発明はこのような解決すべき課題を鑑み、蛍光灯用の高周波点灯回路基板を内蔵して薄型化した場合のユニットの強度向上や内部絶縁性能を向上することを目的とする。
【課題を解決するための手段】
【０００４】
本発明を要約すると、上面に一対の引掛刃を設けた上ケースと、この上ケースと結合される下ケースと、上ケースと下ケースにより囲まれた空間に収納され、前記引掛刃から電気接続された蛍光灯用の高周波点灯回路基板とを備え、前記上ケースは、上面に露出される第一絶縁板と、第一絶縁板の下面に配置される第二絶縁板と、第一絶縁板と第二絶縁板の間に挟まれた金属板とを有し、前記点灯回路基板は第二樹脂板の下面に配置された蛍光灯用点灯装置である。
【発明の効果】
【０００５】
本発明によれば、上ケースは第一絶縁板−金属板−第二絶縁板というサンドイッチ構造を備えているため、強度が向上する。また、点灯回路基板の上面には第二絶縁板が配置されているため、金属板があっても内部絶縁性能も向上する。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、上面に導電性の一対の引掛刃１、１を設けた上ケース２と、この上ケース２と結合される下ケース３と、上ケース２と下ケース３により囲まれた空間に収納され、前記引掛刃１、１から電気接続された蛍光灯用の高周波点灯回路基板(以下、単に点灯回路基板と称する)４とを備え、前記上ケース２は、上面に露出される第一絶縁板５と、第一絶縁板５の下面に配置される第二絶縁板６と、第一絶縁板５と第二絶縁板６の間に挟まれた金属板７とを有し、前記点灯回路基板４は第二絶縁板６の下面に配置されたユニット化されている蛍光灯用点灯装置である。これにより、上ケース２は第一絶縁板５−金属板７−第二絶縁板６というサンドイッチ構造を備えているため、強度が向上する。また、点灯回路基板４の上面には第二絶縁板６が配置されているため、金属板７があっても内部絶縁性能も向上する。
【０００８】
また、第一絶縁板５の下面に形成した複数のボス８を金属板７の上面に形成した複数の凹部９に各々位置決めしている。そうすると、金属板７を第一絶縁板５に位置決めできて組立作業が容易になる。また、凹部９の下面である突出部１０を第二絶縁板６の上面に形成した複数の第二凹部１１に各々位置決めしている。そうすると、第二絶縁板６を金属板７に位置決めできて組立作業が容易になる。また、第二凹部１１の下面である第二突出部１２を点灯回路基板４の複数の孔１３に各々位置決めしている。そうすると、点灯回路基板４を第二絶縁板６に位置決めできて組立作業が容易になる。また、引掛刃１、１に電気接続したコード１４を金属板７の上面に沿わせて点灯回路基板４の外周縁からこの点灯回路基板４に接続している。これにより、点灯回路基板４から発生する高周波がコード１４に飛び付いて引掛刃１、１から屋内配線側に帰還するノイズを抑制できる。また、第二絶縁板６に形成した窓孔１５に金属板７の下面に形成した凸部１６を挿入し、点灯回路基板４の上面に実装した薄型パワー半導体素子などの発熱部品１７の発熱を電気絶縁性の導熱クッション部材１８を介して前記凸部１６に伝導放熱している。これにより、狭小空間に収められた発熱部品１７の発熱を効果的に放熱できるため、パワー半導体素子などの発熱部品１７の温度上昇を抑制でき、その熱的破壊を防止できる。また、第一絶縁板５の外側面から通したビス１９を下ケース３の側面を通して第二絶縁板６に螺合固定している。そうすると、ビス１９により、金属板７を挟んだ状態で第一絶縁板５と第二絶縁板６の相互固定ができるとともに、上ケース２と下ケース３の相互固定もでき、組立作業を効率化できる。また、ビス１９は第一絶縁板５の外周に形成した溝２０の底面に通されている。これにより、ビス１９が溝２０内に収まり、ビス１９の頭部に指先などを引っ掛けてしまって傷を負うというおそれがない。
【０００９】
そして、このようにユニット化された蛍光灯用点灯装置はその引掛刃１、１を回転係止することにより天井面２１に設置された引掛ローゼット２２に接続固定され、前記蛍光灯用点灯装置の外周縁には蛍光灯２３を接続した蛍光灯ソケット２４を備えた照明器具本体２５が着脱可能に係止され、前記蛍光灯ソケット２４には前記蛍光灯用点灯装置の点灯出力がリード線２６を介して接続されて照明器具が構成される。
【００１０】
図示の実施形態はまた、上面に一対の引掛刃１、１を設けた上ケース２と、この上ケース２と結合される下ケース３と、上ケース２と下ケース３により囲まれた空間に収納され、前記引掛刃１、１から電気接続された蛍光灯用の高周波点灯回路基板(以下、単に点灯回路基板と称する)４とを備え、前記点灯回路基板４の上面側は半田面(図の複雑化を避けるため半田は図示せず)を成し、コイルバネ２９などで弾性付勢されて上ケース２の上面に突出され天井面２１に設置された引掛ローゼット２２の円弧孔(下面から見て円弧孔状を成す)２７に挿入可能な回り止め部材２８を備え、この回り止め部材２８を直交変換により下方に押し下げる水平方向の絶縁性の解除部材２９が前記点灯回路基板４の上面(半田面)に通され、その操作端部が外側面に露出された蛍光灯用点灯装置である。これにより、解除部材２９が点灯回路基板４の上面すなわち半田面側に通され、コンデンサ、コイル、半導体などの多数の部品３０は点灯回路基板４の下面側に実装されることになるため、点灯回路基板４に沿って解除部材２９を通すことができる。なお、半田面側にチップ部品のような微小部品を半田付け実装することは解除部材２９を通す妨げにはならない。また、解除部材２９が通る付近には半田面を配置しない方が好ましい。そして、解除部材２９は上ケース２の下面に配置される第二絶縁板６に形成した複数のガイド部３１、３２により水平方向にガイドされている。これにより、第二絶縁板６を利用した解除部材２９の安定なガイドが可能となる。また、解除部材２９の下面に沿って垂直方向の補強リブ３３を一体に形成することにより、点灯回路基板４の半田面への近接部分を極細化できる。
【００１１】
図示の実施形態はまた、上面に一対の引掛刃１、１を設けた上ケース２と、この上ケース２と結合される下ケース３と、上ケース２と下ケース３により囲まれた空間に収納され、前記引掛刃１、１から電気接続された蛍光灯用の高周波点灯回路基板(以下、単に点灯回路基板と称する)４とを備え、前記点灯回路基板４の下面側に受け台３４を介してコネクター３５を設けて、このコネクター３５を下ケース３のコネクター用開口３６に臨ませ、前記コネクター３５には前記点灯回路基板４の点灯出力が供給されている蛍光灯用点灯装置である。このように、点灯回路基板４の下面側に受け台３４を介してコネクター３５を設けたため、コネクター３５とともに点灯回路基板４を下ケース３内に収めることを容易にできる。また、受け台３４を下ケース３にビス３７ａなどで固定している。これにより、受け台３４が安定に支持され、コネクター３５がコネクター用開口３６に整合位置決めされる。また、下ケース３の下側部を下方に向けて外径のすぼまるテーパ面３７に形成し、これに対応して受け台３４の下部外側を前記テーパ面３７にガイドされるガイドテーパ面３８としている。これにより、下ケース３を上ケース２に組み付ける際の下ケース３のガイド性が向上して組み付けが容易にできる。
【００１２】
さらに詳述すれば、引掛刃１、１を保持した台座４０は第一絶縁板５の中央に埋め込まれ、台座４０はビス４１により金属板７に螺合固定される。ガイド部３１の底面からコイルバネ２９を介して弾性付勢された回り止め部材２８は、第二絶縁板６、金属板７、台座４０に各々通されて上ケース２の上面に少し突出される。そして、本蛍光灯用点灯装置を引掛ローゼット２２に取り付ける場合は、手で下ケース３を保持して、引掛刃１、１を引掛ローゼット２２の円弧孔２７、２７に挿入して下から見て時計回りに回転する。この回転は引掛刃１、１と円弧孔２７、２７の終端との当接でストップされ、この際に前記突出部分が円弧孔２７の端部に滑り込み係止されることにより、本蛍光灯用点灯装置の引掛ローゼット２２からの脱落が防止される。本蛍光灯用点灯装置を引掛ローゼット２２から外す際は、解除部材２９の先端を指で押し込むと、解除部材２９の内端の斜め部分４２が回り止め部材２８の基部の斜め部分４３を直交変換により下向きに押し下げるため、回り止め部材２８と円弧孔２７の係止は解除され、本蛍光灯用点灯装置を反時計回りに回転するとよい。また、受け台３４はその外側上端付近が点灯回路基板４の外周縁の切り欠き４４に軽度に係止可能になっており、受け台３４の最終的な固定は前記ビス３７ａにより成される。点灯回路基板４はビスなどで第二絶縁板６の下面に固定される。照明器具本体２５の中央孔４５に臨む下面には図示されないバネで中心方向に弾性付勢された係止部４６が装備され、照明器具本体２５を押し上げると係止部４６が一度後退してから蛍光灯用点灯装置の上面すなわち上ケース２の上面に係止される。照明器具本体２５の取り外しは係止部４６の外側にあるつまみ４７を外向きに押して係止部４７を外向きに変位させて行う。また、照明器具本体２５の下面にはグローブ４８が着脱可能に取り付けられる。なお、引掛ローゼット２２の代わりに高さの低い丸型引掛ローゼットが設置されている場合は、係止部４６は溝２０に係止される。
【図面の簡単な説明】
【００１３】
【図１】(A) 本発明の実施形態を示す組立時の上面斜視図、(B) 同下面斜視図
【図２】同組立時の断面図
【図３】同分解時の下面斜視図
【図４】同分解時の上面斜視図
【図５】図３とは反対側から見た分解時の下面斜視図
【図６】同一部の分解時の下面斜視図
【図７】同一部の分解時の上面斜視図
【図８】同一部の上面斜視図
【図９】同組立直前の上面斜視図
【図１０】同使用状態を示す照明器具の断面図
【符号の説明】
【００１４】
１  引掛刃
２  上ケース
３  下ケース
４  高周波点灯回路基板(点灯回路基板)
５  第一絶縁板
６  第二絶縁板
７  金属板
８  ボス
９  凹部
１０  突出部
１１  第二凹部
１２  第二突出部
１３  孔
１４  コード
１５  窓孔
１６  凸部
１７  発熱部品
１８  導熱クッション部材
１９  ビス
２０  溝
２１  天井面
２２  引掛ローゼット
２３  蛍光灯
２４  蛍光灯ソケット
２５  照明器具本体
２６  リード線
２７  円弧孔
２８  回り止め部材
２９  解除部材
３０  部品
３１、３２  ガイド部
３３  補強リブ
３４  受け台
３５  コネクター
３６  コネクター用開口
３７  テーパ面
３７ａ  ビス
３８  ガイドテーパ面
【図１】
2005209449.tif 000003
【図２】
2005209449.tif 000004
【図３】
2005209449.tif 000005
【図４】
2005209449.tif 000006
【図５】
2005209449.tif 000007
【図６】
2005209449.tif 000008
【図７】
2005209449.tif 000009
【図８】
2005209449.tif 000010
【図９】
2005209449.tif 000011
【図１０】
2005209449.tif 000012